(57)【特許請求の範囲】
【請求項１】
引張り強度及び切断可能性を有する非発錆性繊維束からなる支持索と、該支持索の一端側に固着して補修物に挿嵌固着する非発錆性材料からなる支持体と、前記補修物に対向配置するパネルに挿通して該パネルの外面側に伸張する前記支持索の他端側に該パネルに当接可能かつ着脱可能に設ける係止体と、前記支持索を前記パネルに挿通するために、該支持索の他端側に設けた導出用線材とからなり、前記補修物に対して前記パネルを該係止体により所定の間隔に支持して形成するモルタル充填空間に、モルタルを充填固化してコンクリート層を成形した後、前記係止体は前記支持索から取外し、前記パネルは前記コンクリート層から撤去するようにしてなる補修用パネル支持具。
【請求項２】
前記支持索は、長手方向途中に１以上のコンクリート係止塊を設けてあることを特徴とする請求項１記載の補修用パネル支持具。
【請求項３】
前記支持索は、前記パネルを撤去した後前記コンクリート層から伸びる余丁部分を切断するものであることを特徴とする請求項１記載の補修用パネル支持具。
【請求項４】
前記係止体は、軸体の略中心に軸方向に貫通する支持索挿通穴を設け、該支持索挿通穴に沿って基端側から先端側に向けて先細りテーパー状の楔挿嵌穴を設けた構成からなり、先端面がパネル当接面になった合成樹脂製の係止本体と、前記楔挿嵌穴に圧入することで前記支持索を該係止本体に圧接させる楔とから構成したものである請求項１記載の補修用パネル支持具。
【請求項５】
前記楔は、基端側に挿脱用突部を形成した形状からなる請求項４記載の補修用パネル支持具。
【請求項６】
前記楔は、連結材により前記係止本体に連結してあることを特徴とする請求項４記載の補修用パネル支持具。
【請求項７】
引張り強度及び切断可能性を有する非発錆性繊維束からなる支持索の一端側に設けた支持体を補修物に挿嵌固着し、該補修物に対向配設するパネルに前記支持索の他端側に設けた導出用線材を挿通することにより該支持索を該パネルに挿通し、該パネルの外側に伸張する該支持索の他端側にパネルに当接した状態で着脱可能に係止体を設けることにより、前記補修物に対して前記パネルを所定の間隔に支持してモルタル充填空間を形成し、該モルタル充填空間にモルタルを充填固化してコンクリート層を成形した後、前記係止体を前記支持索から取外し、前記パネルを前記コンクリート層から撤去し、該コンクリート層から伸びる前記支持索の余丁部分は切断するようにしてなる補修用パネル支持具を用いる補修工法。
【発明の詳細な説明】
【技術分野】
【０００１】
本発明は、例えば護岸の損壊した壁面をコンクリート層で被覆して補修するために護岸に対して一定の間隔で型枠パネルを配設する場合のように、補修物との間に間隔を設けて配設するパネルを支持するのに好適な補修用パネル支持具及び補修用パネル支持具を用いる補修工法に関する。
【背景技術】
【０００２】
例えば、港湾の岸壁や護岸の壁面は経年劣化や波力或いは氷塊の衝突によって次第に浸食されたり、損壊されて壁面の一部が抉られた状態になる。この状態を放置すると、岸壁が崩落する事態や、道路が陥没して自動車が転落する事故を招くという危険がある。そこで、侵食され、或は損壊した壁面を補修するために壁面をコンクリート層で覆う工事を行う必要がある。
図６は従来技術の補修方法を示すもので、護岸５１の補修壁面５１Ａに対向して一定の間隔で型枠パネル５２を支持するために、補修壁面５１Ａに適宜の間隔でドリルで複数の挿入用穴５１Ｂを穿設し、少なくとも基端側５３Ａにねじ溝を形成した金属製支持棒５３を用い、その先端側５３Ｂを挿入用穴５１Ｂに挿入してモルタルで固着する。補修壁面５１Ａとの間隔を測って支持棒５３に型枠受け部材としての受ナット５４を螺合して型枠パネル５２を支承し、外側から型枠パネル５２を支持する締結ナット５５を螺合して型枠パネル５２を一定の間隔に保持することにより所謂セパレーターに類した金物により補修壁面５１Ａとの間に空隙を形成し、この空隙にコンクリートを打設してコンクリート層５６を形成することで補修するものである。
【先行技術文献】
【特許文献】
【０００３】
【特許文献１】見出せず。
【発明の概要】
【発明が解決しようとする課題】
【０００４】
上述した金属製の支持棒５３で型枠パネル５２を支持する工法では、補修壁面５１Ａに挿着した支持棒５３はコンクリート層５６に埋設した状態で残るので発錆によるコンクリート層５６の爆裂の問題が生じる、補修壁面５１Ａとの間隔を調整しながら支持棒５３に受ナット５４を締着する作業に多くの時間を要する、支持棒５３の余丁部分がコンクリート層５６から突出した状態で残るので危険である、箇所の殆どは補修壁面５１Ａに沿って横方向に長く展開していることから一定の幅の補修箇所毎に型枠パネル５２を移設しなければならないので工費が嵩むし長い工期を要する、といった幾多の欠点がある。
【０００５】
本発明は上述した従来技術の諸欠点に鑑みなされたもので、金属製材料を一切用いないので発錆によるコンクリート製構造物の爆裂も無いし、全体を軽量化できるので作業性に優れており、コンクリート層を補修壁面に確実に係着するので強度性にも優れている補修用パネル支持具及び補修用パネル支持具を用いる補修工法を提供することを目的とする。
【課題を解決するための手段】
【０００６】
上述した課題を解決するために構成した請求項１に係る本発明の手段は、引張り強度及び切断可能性を有する非発錆性繊維束からなる支持索と、該支持索の一端側に固着して補修物に挿嵌固着する非発錆性材料からなる支持体と、前記補修物に対向配置するパネルに挿通して該パネルの外面側に伸張する前記支持索の他端側に該パネルに当接可能かつ着脱可能に設ける係止体と、前記支持索を前記パネルに挿通するために、該支持索の他端側に設けた導出用線材とからなり、前記補修物に対して前記パネルを該係止体により所定の間隔に支持して形成するモルタル充填空間に、モルタルを充填固化してコンクリート層を成形した後、前記係止体は前記支持索から取外し、前記パネルは前記コンクリート層から撤去することからなる。
【０００７】
そして、前記支持索は、長手方向途中に１以上のコンクリート係止塊を設けるとよい。
【０００８】
また、前記支持索は、前記パネルを撤去した後前記コンクリート層から伸びる余丁部分を切断するものであるとよい。
【０００９】
更に、前記係止体は、軸体の略中心に軸方向に貫通する支持索挿通穴を設け、該支持索挿通穴に沿って基端側から先端側に向けて先細りテーパー状の楔挿嵌穴を設けた構成からなり、先端面がパネル当接面になった合成樹脂製の係止本体と、前記楔挿嵌穴に圧入することで前記支持索を該係止本体に圧接させる楔とから構成するとよい。
【００１０】
また、前記楔は、基端側に挿脱用突部を形成した形状にするとよい。
【００１１】
また、前記楔は、連結材により前記係止本体に連結するとよい。
【００１２】
また、請求項７に係る本発明を構成する手段は、引張り強度及び切断可能性を有する非発錆性繊維束からなる支持索の一端側に設けた支持体を補修物に挿嵌固着し、該補修物に対向配設するパネルに前記支持索の他端側に設けた導出用線材を挿通することにより該支持索を該パネルに挿通し、該パネルの外側に伸張する該支持索の他端側にパネルに当接した状態で着脱可能に係止体を設けることにより、前記補修物に対して前記パネルを所定の間隔に支持してモルタル充填空間を形成し、該モルタル充填空間にモルタルを充填固化してコンクリート層を成形した後、前記係止体を前記支持索から取外し、前記パネルを前記コンクリート層から撤去し、該コンクリート層から伸びる前記支持索の余丁部分は切断するようにしたことにある。
【発明の効果】
【００１３】
（１）引張り強度と切断可能性を有する非発錆性繊維束からなる支持索と非発錆性の係止体により補修物に対してパネルを一定の間隔で支持し、形成した空間にモルタルを充填してコンクリート層を成形するので、発錆によるコンクリート層の爆裂も無く、耐久性に優れたコンクリート層を補修面に成形できる。
（２）支持索は長手方向途中に１以上のコンクリート係止塊を設けたから、コンクリート層をより強固に支持することができる。
（３）支持索はコンクリート層の成形後に余丁部分を切断するから、景観を損ねることや釣り糸が絡まることが無いし、往来する船舶の障害になることもない。
（４）支持索の他端側にはパネルの挿通穴に挿通するための導出用線材を設けたから、支持索をパネルの挿通穴に容易に、迅速に挿通できるので作業性に優れている。
（５）パネルに挿通した支持索は楔により係止体を固定する構成にしたから、パネルを支持する作業を容易に、迅速に行うことができるし、支持索から係止体を取外す作業も容易に行うことができるので作業性に優れている。
（６）楔は基端側に挿脱用突部を形成したから、係止本体に圧入する作業や、逆に引抜く作業を確実に効率良く行うことができる。
（７）楔は連結材により係止本体に連結したから、運搬中に紛失する事態や作業中に落下させてしまう事態を確実に防止するのでコスト削減及び作業性の向上を図ることができる。
【図面の簡単な説明】
【００１４】
【図１】図１乃至図５は本発明の実施の形態に係り、図１は補修用パネル支持具の全体構成図である。
【図２】係止体の拡大断面図である。
【図３】図２中のＩＩＩ−ＩＩＩ矢示方向拡大断面図である。
【図４】図２中のＩＶ−ＩＶ矢示方向拡大断面図である。
【図５】壁面にコンクリート層を成形した説明図である。
【図６】従来技術の説明図である。
【発明を実施するための形態】
【００１５】
以下、本発明の実施の形態を図面に基づき詳述する。図において、５１は補修物である護岸で、該護岸５１の一部が補修壁面５１Ａになり、該補修壁面５１Ａには複数の挿入用穴５１Ｂがドリルによって穿設してある。５２は補修壁面５１Ａを含む壁面に一定の間隔で対向配設する型枠パネルで、該型枠パネル５２には支持索挿通穴５２Ａが一定の間隔で複数個形成してある。
【００１６】
１は前記型枠パネル５２を支持するための補修用パネル支持具、２は該補修用パネル支持具１を構成する支持索で、該支持索２は例えばカーボン繊維、ナイロン繊維、ガラス繊維等の引張り強度及び刃物による切断可能性を有する非発錆性の繊維束からなっている。そして、支持索２は途中に複数の結び玉を形成することによりコンクリート係止塊２Ａが形成してあり、後述するコンクリート層５６を強固に支持するようにしてある。支持索２の長さは補修壁面５１Ａの凹面、凸面の状況に対応できるように１〜３メートルの種々の長さのものを用意するとよい。
【００１７】
３は前記支持索２の先端側２Ｂに固着したモルタル製或いは合成樹脂製の円柱状の支持軸で、該支持軸３は半円柱状の２つ割り体に支持索２の先端側２Ｂを挟んで固着することで連結してあり、表面にはモルタルとの係着性を高めるために周方向に複数の係止溝３Ａ、３Ａ、・・・が形成してある。
【００１８】
図２において、４は型枠パネル５２を補修壁面５１Ａに対して所定の間隔で支持するための合成樹脂製の係止体を示す。５は該係止体４を構成する係止本体で、該係止本体５は円柱状に形成し、先端面が当接面５Ａ１になった軸部５Ａと、該軸部５Ａの軸心に軸方向に貫通形成した支持索挿通穴５Ｂと、該支持索挿通穴５Ｂに沿って軸部５Ａに断面四角形に形成した楔挿嵌穴５Ｃとからなる。そして、該楔挿嵌穴５Ｃは基端面５Ａ２から当接面５Ａ１に向けて先細りテーパー状に形成することで後述する楔６が強固に食い込むようにしてある。
【００１９】
６は前記係止本体５を支持索２に対して確実、かつ強固に止着するための合成樹脂製の楔を示す。該楔６は縦断面横長四角形をなし、基端側６Ａから先端側６Ｂにかけて先細りに形成し、基端側６Ａには下方に膨出する挿脱用突部６Ｃを形成することにより、基端の面積を大きくして楔６を木槌等で打ち込み易くし、また引抜く場合に力を掛け易くしてある。７は該楔６を係止本体５に連結する紐或いはチェーンからなる連結体で、該連結体７は楔６の紛失を防止し、また係止本体５に連結しておくことで挿脱する作業を効率的に行うことが出来るようにするためのものである。
【００２０】
８は支持索２の後端側２Ｃに設けた細い針金からなる導出用線材を示す。該導出用線材８は、型枠パネル５２の支持索挿通穴５２Ａに支持索２を挿通する際に、先に支持索挿通穴５２Ａに挿通してパネル５２の外側から引き出すことにより支持索２の挿通作業を迅速、容易に行うためのものである。
【００２１】
本実施の形態に係るパネル支持具１は上述の構成からなるもので、以下にその作用について詳述する。補修壁面５１Ａに適宜の間隔でドリルにより複数の挿入穴５１Ｂを穿設する。各挿入穴５１Ｂにモルタルを充填し、支持軸３を挿入固着することで支持索２を補修壁面５１Ａに固着する。このとき、支持索２は垂れた状態になっている。
【００２２】
次に、補修壁面５１Ａに対向した状態で型枠パネル５２を配設し、型枠パネル５２の挿通穴５２Ａに導出用線材８を用いて支持索２を挿通した状態にする。しかる後、補修壁面５１Ａと型枠パネル５２の間隔が一定になるようにスケールで測りながら型枠パネル５２の位置決めを行い、支持索２に係止体４を挿着して係止本体５を型枠パネル５２に圧接させた状態にして楔６を圧入し、支持索２と係止体４で型枠パネル５２を支承する。
【００２３】
このようにして、全ての支持索２と係止体４で型枠パネル５２を支持することにより、補修壁面５１Ａと型枠パネル５２との間にモルタル充填空間９を形成し、このモルタル充填空間９にモルタルを充填して固化させることにより補修壁面５１Ａを覆うコンクリート層１０を成形することができる。
【００２４】
コンクリート層１０の成形後は係止本体５から楔６を抜いて係止体４を支持索２から取り外し、型枠パネル５２をコンクリート層１０から撤去する。最後にコンクリート層１０から垂れている支持索２の余丁部分を刃物で切断除去する（図５参照）。
コンクリート層１０内には支持体３が護岸５１に挿嵌固着された支持索２が埋め殺しの状態でコンクリート層１０を支持しており、しかも支持索２には複数個のコンクリート係止塊２Ａを設けてあるから、コンクリート層１０が護岸５１から剥離する事態を強固に防止している。
【００２５】
本実施の形態は上述した如くであるが、本発明は護岸にコンクリート層を成形する場合に限られるものではなく、傾斜地に土砂流失防止用のコンクリート層を形成する工事の他、コンクリート層を成形する種々の工事に用いることができるものである。
【００２６】
また、補修物は護岸壁面のように面状のものに限られるものではなく、地盤に埋設する複数のコンクリートブロックに支持索を固着することにより型枠パネルを支持する構成にしてもよいものである。
【符号の説明】
【００２７】
１        補修用パネル支持具
２        支持索
３        支持体
４        係止体
５        係止本体
５Ｂ      支持索挿通穴
５Ｃ      楔挿嵌穴
６        楔
６Ｃ      挿脱用突部
７        連結体
８        導出用線材
９        モルタル充填空間
１０      コンクリート層
５１      護岸（補修物）
５２ パネル
【図１】
0006510989.tif 000002
【図２】
0006510989.tif 000003
【図３】
0006510989.tif 000004
【図４】
0006510989.tif 000005
【図５】
0006510989.tif 000006
【図６】
0006510989.tif 000007